【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
任意の数のプロセッサと、
少なくとも１つのメモリと、
予め認証済みであって、航空機用の選択可能なオプション（１３４）に関連するエンジニアリングオプション（１３２）を含む航空機オプションデータベース（１２６）であって、選択可能なオプション（１３４）は、モデル（３０６）、バージョン（３０８）、ゾーンに関連しており、選択可能なオプションは（１３４）、調理室、乗務員用座席、トイレ、乗客用座席、着陸装置、及びエンジンのうちの少なくとも１つから選択され、エンジニアリングオプション（１３２）内の１つのエンジニアリングオプション（１３６）は、認証済み設計（１３９）であり、エンジニアリングオプション（１３２）に対する前記設計がエンジニアリングオプション（１３６）が航空局によって公表された航空機（１０２）の認証済み設計（１３９）の耐空性に付随する一連の規制（１４０）を満たすという認証を取得するための処理に通されており、エンジニアリングオプション（１３２）が、少なくとも１つの三次元モデルを含む、航空機オプションデータベースと、
航空機オプションデータベース（１２６）に結合され、航空機（１０２）に対して選択されたオプションから１つの選択されたオプション（１４２）を受取り、選択されたオプション（１４２）に対する航空機オプションデータベース（１２６）内のエンジニアリングオプション（１３２）から予め認証済みの任意の数のエンジニアリングオプション（１４４）を特定して、予め認証済みの前記設計を再使用するように構成された航空機コンフィギュレータ（１２８）と、
予め認証済みの設計を再使用するように構成された製品マネージャ（２１８）によって選択された設計に基づいて、航空機（１０２）のために必要とされるすべてのコンポーネントが予め認証済みのコンポーネントであることを保証するよう構成されたベリファイヤ（２１０）と、
航空機コンフィギュレータ（１２８）に結合され、物理的な連結点（１５４）、ユーティリティ（１５６）、データ（１５８）、他の好適なリソースのうちの少なくとも１つを含むリソース（１５２）に関連する任意の数のエンジニアリングオプション（１４４）を含む予め作成された設計を再使用する最終設計（１６０）を作成するように構成されたコンフィギュレーションジェネレータ（１３０）であって、最終設計（１６０）は、選択されたオプション（１４２）に対する航空機コンフィギュレータ（１２８）によって航空機オプションデータベース（１２６）内で特定された予め認証済みの任意の数のエンジニアリングオプション（１４４）を使用して、航空機（１０２）内に選択されたオプションを構築するのに使用され、航空機（１０２）を製造するために必要とされる部品表を含むドキュメント（１４６）を作成する、コンフィギュレーションジェネレータと
を含む、航空機カスタマイゼーションシステム。
【請求項２】
航空機（１０２）に対してオプションを選択するユーザー入力（１１８）を受取り、選択されたオプション（１４２）を形成し、航空機コンフィギュレータ（１２８）に選択されたオプション（１４２）を送るように構成されている航空機カスタマイザ（１１０）をさらに含む、
請求項１に記載の航空機カスタマイゼーションシステム。
【請求項３】
コンフィギュレーションジェネレータ（１３０）は、選択されたオプション（１４２）に対して航空機コンフィギュレータ（１２８）によって航空機オプションデータベース（１２６）内で特定された任意の数のエンジニアリングオプション（１４４）を使用して、航空機（１０２）内に選択されたオプション（１４２）を構築するためのドキュメント（１４６）を作成するように構成されており、ドキュメント（１４６）が作業明細書、製造作業明細書、及び組立指示書のうちの１つから選択される、請求項１又は２に記載の航空機カスタマイゼーションシステム。
【請求項４】
エンジニアリングオプション（１３２）が、オプション（１３４）に関する航空機（１０２）内のアセンブリに対する認証済み設計（３１４）である、請求項１から３のいずれか一項に記載の航空機カスタマイゼーションシステム。
【請求項５】
選択されたオプション（１４２）が製造業者（１０８）の顧客（１０６）及び製造業者（１０８）のうちの１つによって選択される、請求項１から４のいずれか一項に記載の航空機カスタマイゼーションシステム。
【請求項６】
任意の数のエンジニアリングオプション（１４４）は選択されたオプション（１４２）が配置されている前記ゾーン（１４８）内の１つのゾーン（１５０）に基づいて特定される、請求項１から５のいずれか一項に記載の航空機カスタマイゼーションシステム。
【請求項７】
選択されたオプション（１４２）に対する航空機オプションデータベース（１２６）内のエンジニアリングオプションから予め認証済みの任意の数のエンジニアリングオプション（１４４）を特定するために、航空機コンフィギュレータ（１２８）は、
選択されたオプション（１４２）に対するモデル（３０６）、バージョン（３０８）、及び前記ゾーンを特定し、基準を形成し、
任意の数のエンジニアリングオプション（１４４）に対する航空機オプションデータベース（１２６）に問い合わせ、
航空機オプションデータベース（１２６）への前記問い合わせから前記基準を満たす任意の数のエンジニアリングオプション（１４４）を特定する、請求項１から６のいずれか一項に記載の航空機カスタマイゼーションシステム。
【請求項８】
任意の数のプロセッサと、
少なくとも１つのメモリと、
輸送機用のオプション（１３４）に対する認証済み設計（３１４）を含むデータベース（１２６）であって、データベース（１２６）内の認証済み設計（３１４）が輸送機の認証済み設計の使用に関する一連の規制を満たしているデータベース（１２６）と、
前記輸送機に対して選択されたオプション（１４２）を受取り、少なくとも１つの三次元モデルを含み、選択されたオプション（１４２）に対するデータベース内にある予め認証済みのエンジニアリングオプションから任意の数のエンジニアリングオプション（１４４）を特定するように構成されている輸送機コンフィギュレータであって、選択されたオプション（１４２）は、モデル（３０６）、バージョン（３０８）、ゾーンに関連しており、選択されたオプション（１４２）は、調理室、乗務員用座席、トイレ、乗客用座席、着陸装置、及びエンジンのうちの少なくとも１つから選択される、輸送機コンフィギュレータと、
予め認証済みの設計を再使用するように構成された製品マネージャ（２１８）によって選択された設計に基づいて、前記輸送機のために必要とされるすべてのコンポーネントが予め認証済みのコンポーネントであることを保証するよう構成されたベリファイヤ（２１０）と、
物理的な連結点（１５４）、ユーティリティ（１５６）、データ（１５８）、他の好適なリソースのうちの少なくとも１つを含むリソース（１５２）に関連する任意の数のエンジニアリングオプション（１４４）を含む以前に作成された設計を再使用する最終設計（１６０）を作成するように構成されたコンフィギュレーションジェネレータ（１３０）であって、最終設計（１６０）は、選択されたオプション（１４２）に対するデータベース（１２６）内で特定された任意の数の認証済み設計（３１４）を使用して、輸送機内に選択されたオプション（１４２）を構築するのに使用され、前記輸送機を製造するために必要とされる部品表を含むドキュメントを作成するように構成されているコンフィギュレーションジェネレータ（１３０）と
を備える輸送機カスタマイゼーションシステム。
【請求項９】
輸送機に対してオプションを選択するユーザー入力（１１８）を受取り、選択されたオプション（１４２）を形成し、輸送機コンフィギュレータに選択されたオプション（１４２）を送るように構成されている輸送機カスタマイザをさらに含む、請求項８に記載の輸送機カスタマイゼーションシステム。
【請求項１０】
コンフィギュレーションジェネレータ（１３０）は、選択されたオプション（１４２）に対して前記輸送機コンフィギュレータによってデータベース（１２６）内で特定された任意の数のエンジニアリングオプション（１４４）を使用して、輸送機内に選択されたオプション（１４２）を構築するためのドキュメント（１４６）を作成するように構成されていて、ドキュメント（１４６）は作業明細書、製造作業明細書、及び組立指示書のうちの１つから選択される、請求項８に記載の輸送機カスタマイゼーションシステム。
【請求項１１】
エンジニアリングオプション（１３２）は、オプション（１３４）に関して輸送機内で組立を行うための認証済み設計（３１４）である、請求項８に記載の輸送機カスタマイゼーションシステム。
【請求項１２】
任意の数のエンジニアリングオプション（１４４）は、選択されたオプション（１４２）が位置している前記ゾーン（１４８）内の１つのゾーン（１５０）に基づいて特定される、請求項８に記載の輸送機カスタマイゼーションシステム。
【請求項１３】
航空機（１０２）に対するオプション（１３４）を管理する方法であって、
航空機（１０２）に対して選択可能なオプションから選択されたオプション（１４２）を受取るステップと、
選択されたオプション（１４２）に対して予め認証済みの任意の数のエンジニアリングオプション（１４４）を特定するステップであって、任意の数のエンジニアリングオプション（１４４）は航空機（１０２）用の選択可能なオプション（１３４）に関連するエンジニアリングオプション（１３２）を含む航空機オプションデータベース（１２６）の中にあり、選択可能なオプション（１３４）は、モデル（３０６）、バージョン（３０８）、ゾーンに関連しており、選択可能なオプション（１３４）は、調理室、乗務員用座席、トイレ、乗客用座席、着陸装置、エンジンのうちの少なくとも１つから選択され、エンジニアリングオプション（１３２）内の１つのエンジニアリングオプション（１３６）は航空機（１０２）の認証済み設計（１３９）の耐空性に付随する一連の規制（１４０）を満たす認証済み設計（１３９）であり、エンジニアリングオプション（１３２）は少なくとも１つの三次元モデルを含む、ステップと、
予め認証済みの設計を再使用するように構成された製品マネージャ（２１８）によって選択された設計に基づいて、航空機（１０２）のために必要とされるすべてのコンポーネントが予め認証済みのコンポーネントであることを保証するステップと、
物理的な連結点（１５４）、ユーティリティ（１５６）、データ（１５８）、他の好適なリソースのうちの少なくとも１つを含むリソース（１５２）に関連する任意の数のエンジニアリングオプション（１４４）を含み、以前に作成された設計を再使用する最終設計（１６０）を作成するステップであって、最終設計（１６０）は、選択されたオプション（１４２）に対して航空機オプションデータベース（１２６）内で特定された予め認証済みの任意の数のエンジニアリングオプション（１４４）を使用して、航空機（１０２）内に選択されたオプション（１４２）を構築するのに使用され、ステップと
航空機を構築するために必要とされる部品表を含むドキュメント（１４６）を作成するステップと
を含む方法。
【請求項１４】
選択されたオプション（１４２）を形成するため、航空機（１０２）に対してオプションを選択するユーザー入力（１１８）を受取るステップをさらに含む、請求項１３に記載の方法。
【請求項１５】
選択されたオプション（１４２）に対して航空機オプションデータベース（１２６）内で特定された任意の数のエンジニアリングオプション（１４４）を使用して、航空機（１０２）内に選択されたオプション（１４２）を構築するためのドキュメント（１４６）を作成するステップをさらに含み、ドキュメント（１４６）は作業明細書、製造作業明細書、及び組立指示書のうちの１つから選択される、請求項１３又は１４に記載の方法。
【請求項１６】
エンジニアリングオプション（１３２）が、オプション（１３４）に関する航空機（１０２）内のアセンブリに対する認証済み設計（３１４）である、請求項１３から１５のいずれか一項に記載の方法。
【請求項１７】
任意の数のエンジニアリングオプション（１４４）が、選択されたオプション（１４２）が位置している前記ゾーン（１４８）内の１つのゾーン（１５０）に基づいて特定される、請求項１３から１６のいずれか一項に記載の方法。